【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
オトスコープに固定するためのチップ要素において、前記チップ要素は、
遠位開口端と開口近位端を有する実質的に軸対称な本体と、
前記チップの前記開口近位端から放射状に広がる少なくとも１つの外部噛合機構とを備え、
前記各少なくとも１つの外部噛合機構は、オトスコープのチップ取付構造に噛合するためのものであり、前記開口近位端の円周部分の周りに軸方向に傾斜する噛合表面を与えるものである。
【請求項２】
請求項１記載のチップ要素において、前記各少なくとも１つの外部噛合機構は、前記チップがそれ自身第１の所定の方向にねじられるとき、オトスコープのチップ取付部の固定スロットの中に適合する大きさである。
【請求項３】
請求項１記載のチップ要素において、３つの外部噛合機構を含み、該３つの噛合機構のそれぞれは、前記円周固定部と、前記ぶら下がり軸部を含んでいる。
【請求項４】
請求項３記載のチップ要素において、前記各外部噛合機構は、前記開口近位端の周りに互いに等しく間隔をあけて配置される。
【請求項５】
請求項１記載のチップ要素において、内部表面を含み、該内部表面は磨かれている。
【請求項６】
請求項１記載のチップ要素において、前記チップ要素は使い捨てである。
【請求項７】
請求項１記載のチップ要素において、オトスコープの１つのチップ取付構造と噛合するよう適合された少なくとも１つの内部噛合機構を含んでいる。
【請求項８】
請求項７記載のチップ要素において、前記少なくとも１つの外部噛合機構は第１のチップ取付構造と結合するよう適合され、前記少なくとも１つの内部噛合機構は前記第１のチップ取付構造と異なる第２のチップ取付構造と結合するよう適合されている。
【請求項９】
請求項８記載のチップ要素において、前記第１及び前記第２のチップ取付構造は別々のオトスコープ上に設けられている。
【請求項１０】
請求項１記載のチップ要素において、前記チップ要素は前記チップ要素の前記開口近位端に関連して配置された複数の握りリブを含んでいる。
【請求項１１】
請求項１記載のチップ要素において、内部表面を含み、該内部表面は吸入を可能とするよう前記チップ要素をオトスコープに密封する密封手段を含んでいる。
【請求項１２】
請求項１１記載のチップ要素において、前記密封手段は前記チップ要素の内部内に配置された少なくとも１つの環状のリングを含む。
【請求項１３】
オトスコープと使用するためのチップ要素において、前記チップ要素は、
開口遠位端と開口近位端を含む実質的に軸対称な本体と、
前記実質的に軸対称な本体を少なくとも２つの異なるチップ取付構造に互換性があり取り付けるための適合して噛合するための手段とを備え、前記適合して噛合するための手段は、前記開口近位端から放射状に広がり、その部分の周りに、円周に等しく配置した、少なくとも２つの外部噛合機構を含む第１の噛合手段と、少なくとも１つの内部噛合機構を含む第２の噛合手段とを含む。
【請求項１４】
請求項１３記載のチップ要素において、前記少なくとも１つの内部噛合機構は前記チップ要素の内部表面に与えられた少なくとも１つの突起を含み、前記少なくとも１つの突起は器具ヘッドの取り付け部に形成された銃剣に似たスロットと噛合する大きさである。
【請求項１５】
請求項１３記載のチップ要素において、前記少なくとも２つの外部噛合機構は器具ヘッドの取り付け部に形成された対応するスロットと噛合する大きさである。
【請求項１６】
請求項１５記載のチップ要素において、前記少なくとも２つの外部噛合機構は、前記開口近位端の部分の周りに軸方向に傾斜する噛合表面を含み、前記チップ要素は前記対応するスロットと噛合するよう第１の所定の方向にねじられている。
【請求項１７】
請求項１６記載のチップ要素において、そのうちの少なくとも１つの外部噛合機構は前記噛合表面に配置された１セットの歯を含む。
【請求項１８】
請求項１３記載のチップ要素において、３つの円周に等しく配置した外部噛合機構を含む。
【請求項１９】
請求項１３記載のチップ要素において、前記チップ要素は使い捨てである。
【請求項２０】
請求項１３記載のチップ要素において、磨かれた内部表面を含んでいる。
【請求項２１】
請求項１３記載のチップ要素において、複数の前記チップ要素を含み、該複数のチップ要素は患者のタイプやその使用目的に基づいて色分けされている。
【請求項２２】
請求項１３記載のチップ要素において、複数の前記チップ要素の積み重ねを容易にするために少なくとも１つの外部軸方向に配置したリブを含んでいる。
【請求項２３】
請求項２２記載のチップ要素において、前記少なくとも１つの外部軸方向に配置したリブは前記少なくとも２つの外部噛合機構のうちの１つのぶら下がっている軸方向部である。
【請求項２４】
請求項２２記載のチップ要素において、前記少なくとも１つの軸方向に配置したリブは前記開口遠位端に向かう方向に伸びている。
【請求項２５】
請求項１３記載のチップ要素において、前記チップ要素は１つ以上のタイプのオトスコープに開放可能に取り付けできるよう適合されている。
【請求項２６】
請求項１３記載のチップ要素において、前記軸対称な本体の開口遠位端は、前記オトスコープに取り付けられたとき、前記絞りは器具をぐるっと回すことなく鼓膜全体を一度に見ることができる。
【請求項２７】
請求項１３記載のチップ要素において、内部表面を含み、該内部表面は前記チップが前記オトスコープに密封され、患者の吸入を可能とするための密封手段を含んでいる。
【請求項２８】
請求項２７記載のチップ要素において、前記密封手段は少なくとも１つの環状内部リングを含む。
【請求項２９】
少なくとも１つのチップ取り付け構造を含む器具ヘッドを有する少なくとも１つのオトスコープ器具を含んでいるオトスコープ組立品；及び開放可能に取り付けられるチップ要素を持ち、前記チップ要素は、
開口遠位端と開口近位端を有する実質的に軸対称な本体と、
前記チップ要素を前記器具ヘッドに適合して噛合するための手段を含むものであり、該適合噛合手段は前記チップ要素の、少なくとも２つの異なるチップ取付構造への交換可能な取り付けを可能にし、前記適合噛合手段は、第１のオトスコープのチップ取付構造を噛合するための第１の噛合手段と、第２のオトスコープのチップ取付構造を噛合するための第２の噛合手段を含み、前記第１の噛合手段は、前記開口近位端から放射状に広がる少なくとも２つの円周に等しく配置した外部噛合機構を含み、前記外部噛合機構は前記開口近位端の円周のまわりに軸方向に傾斜する噛合表面を与えられる。
【請求項３０】
請求項２９記載のオトスコープ組立品において、第１のチップ取付構造を有する第１のオトスコープ器具と、第２のチップ取付構造を有する第２のオトスコープ器具を含み、前記チップ要素は前記オトスコープのそれぞれに選択的に取り付けることができるよう開放可能に噛合可能である。
【請求項３１】
請求項２９記載のオトスコープ組立品において、少なくともひとつの内部噛合機構を含む第２の噛合手段を含む。
【請求項３２】
請求項３１記載のオトスコープ組立品において、前記少なくとも１つの内部噛合機構は内部表面上に配置された少なくとも１つの突起を含み、該少なくとも１つの突起は第２のチップ取付構造に形成された銃剣に似たスロットに適合する大きさである。
【請求項３３】
請求項３１記載のオトスコープ組立品において、前記少なくとも２つの円周に等しく配置された外部噛合機構は前記第１のチップ取付構造に形成された対応する固定スロットと噛合する大きさである。
【請求項３４】
請求項３３記載のオトスコープ組立品において、前記少なくとも１つの対応する固定スロットが前記器具ヘッドの周りに軸方向に傾斜する噛合表面を含み、前記チップ要素は前記少なくとも１つの対応するスロットと噛合するよう前記第１の所定の方向へのチップ要素の回転によって前記器具ヘッド上に位置するよう固定されている。
【請求項３５】
請求項３４記載のオトスコープ組立品において、そのうちの少なくとも１つの前記外部噛合機構は噛合表面上に配置された１セットの歯を含む。
【請求項３６】
請求項３４記載のオトスコープ組立品において、前記器具ヘッドは前記固定スロットから前記外部噛合機構を選択的に変位させるための回転可能なアクチュエータノブを含む。
【請求項３７】
請求項２９記載のオトスコープ組立品において、前記チップ要素は３つの円周に等しく配置した外部噛合機構を含む。
【請求項３８】
請求項２９記載のオトスコープ組立品において、前記チップ要素は使い捨てである。
【請求項３９】
請求項２９記載のオトスコープ組立品において、前記チップ要素は磨かれた内部表面を含む。
【請求項４０】
請求項２９記載のオトスコープ組立品において、複数のチップ要素を含み、前記複数のチップ要素のそれぞれは患者のタイプとその使用に基づいて色分けされている。
【請求項４１】
請求項２９記載のオトスコープ組立品において、複数のチップ要素を含み、前記複数のチップ要素のそれぞれはその積み重ねるのを可能とする少なくとも１つの外部軸方向に配置したリブを含む。
【請求項４２】
請求項４１記載のオトスコープ組立品において、前記少なくとも１つの外部軸方向に配置したリブは前記少なくとも２つの円周に等しく配置した外部噛合機構のうちの少なくとも１つの軸方向部として形成される。
【請求項４３】
請求項４２記載のオトスコープ組立品において、前記軸方向部は前記チップ要素の前記開口遠位端に向かう方向に伸びている。
【請求項４４】
請求項２９記載のオトスコープ組立品において、前記オトスコープシステムは光学軸に沿って前記チップ要素とその中において並んで配置された光学システムをさらに含み、前記オトスコープ器具に取り付けられたとき前記チップ要素の遠位端チップ開口を通して、使用者が、患者の鼓膜の全体を見られることができる。
【請求項４５】
請求項２９記載のオトスコープ組立品において、前記オトスコープ器具の取付部に取り付けられる少なくとも１つの器具チップ要素をさらに含む。
【請求項４６】
請求項４５記載のオトスコープ組立品において、前記道具チップ要素は開口フレーム構造により近位オトスコープ取付部に相互接続された遠位耳挿入部を含み、前記開口フレーム構造は手術器具がそれを通して通ることができる少なくとも１つの開口を設けている。
【請求項４７】
請求項４５記載のオトスコープ組立品において、前記道具チップ要素の少なくとも一部は使い捨てである。
【請求項４８】
請求項４６記載のオトスコープ組立品において、前記手術器具は曲がったキューレットであり、該キューレットが前記開口フレーム構造および前記遠位端開口において存在していても、前記器具の主な光学軸に沿って関心のターゲットを見ることを実質的に妨げない。
【請求項４９】
請求項２９記載のオトスコープ組立品において、前記チップ要素の外部に取付可能なエラストマー組立品を含んでいる。
【請求項５０】
請求項４９記載のオトスコープ組立品において、前記エラストマー組立品は、前記オトスコープ器具を使用しての吸入を可能にするために患者の外耳道に噛合するとき、実質的に流体密封のシールを与える形状に形成されている。
【請求項５１】
請求項５０記載のオトスコープ組立品において、前記エラストマーシール組立品は実質的にきのこ型の形状をしている。
【請求項５２】
オトスコープ器具は、
前記器具ヘッド上に配置された、チップ要素を受け入れ保持するためのチップ取付機構であって、該チップ取付機構は、チップ要素を前記器具から排出するための回転可能な作動手段を含み、
前記チップ取付構造は、前記チップ要素の対応する外部噛合機構を受ける大きさである少なくとも１つの円周に配置した固定スロットを含んでいる。
【請求項５３】
請求項５２記載の器具において、３つの円周に等しく間隔をあけて配置された固定スロットを含む。
【請求項５４】
請求項５２記載の器具において、前記回転可能作動手段は、前記チップ要素を、その所定方向への回転により前記固定スロットから変意させるよう適合された少なくとも１つの構造を含むアクチュエータノブを含む。
【請求項５５】
請求項５２記載の器具において、前記回転可能作動手段はその解放字に元の位置に戻るようバイアスされている。
【請求項５６】
請求項５４記載の器具において、前記回転可能作動手段は、その上に、使用者に上記所定の方向を示すための少なくとも１つの指示器を含む。
【請求項５７】
オトスコープ装置のための実質的に軸対称な検鏡チップ要素を製造する方法において、前記方法は：
前記チップ要素が第１のチップ取付構造を介してオトスコープ器具に解放可能に取り付けられることを可能にし、前記各少なくとも１つの外部噛合機構が前記チップ要素の開口近位端から放射状に伸びており、前記開口近位端の円周部分の周りに軸方向に傾斜する噛合表面を与える少なくとも１つの外部噛合機構を設けるステップと、
モールディングプロセスにより前記チップ要素を製造するステップとを含む。
【請求項５８】
請求項５７記載の方法において、前記チップ要素上に少なくとも１つの内部噛合機構を設けるステップを含み、前記チップ要素が、前記第１のチップ取付構造と異なる第２のチップ取付構造を介して第２のオトスコープ器具に解放可能に取り付けられることを可能にする。
【請求項５９】
請求項５８記載の方法において、前記少なくとも１つの内部噛合機構は、前記第２のチップ取付構造と噛合する大きさである少なくとも１つの内部突起を含む。
【請求項６０】
請求項５７記載の方法において、前記各少なくとも１つの噛合表面上に１セットの歯を設ける追加のステップを含む。
【請求項６１】
請求項５７記載の方法において、前記チップ要素上に３つの円周に等しく配置した外部噛合機構を与えるステップを含む。
【請求項６２】
請求項５７記載の方法において、前記チップ要素の内部表面を磨く追加のステップを含む。
【請求項６３】
請求項５７記載の方法において、患者とタイプとその使用を示すために前記チップ要素を色分けする追加のステップを含む。
【請求項６４】
オトスコープに固定するためのチップ要素において、前記チップ要素は：
内側の開口近位部と、内側の開口遠位部とを含み、該内側の開口遠位部は、遠位端および軸の周りに対称な内部表面を含み、該内部表面は、前記遠位端から近位では距離とともに単調に増加する直径を含み、
前記遠位端の内部直径は２．６ｍｍ以上であり；
前記内部表面の直径は前記遠位端から１８ｍｍより大きいの距離では７．０ｍｍに等しく；
前記１つのチップ要素を、前記チップ要素の積み重ねに加えることにより前記チップ要素の積み重ねの長さにおいてなされる増加は、６．２ｍｍより小さい。
【請求項６５】
請求項６４記載のチップ要素において、前記チップ要素は約０．４ｍｍの壁の厚みを有する。
【請求項６６】
請求項６４記載のチップ要素において、前記チップ要素は成形用プラスチックからつくられる。
【請求項６７】
請求項６６記載のチップ要素において、前記チップ要素はポリプロピレンからつくられる。
【請求項６８】
オトスコープ組立品は、
請求項１〜３２による、少なくとも１つのチップ取付構造と、開放可能に取り付けることを可能にするチップ要素を含む器具ヘッドを有する少なくとも１つのオトスコープ器具を含む。
【請求項６９】
請求項３６記載のオトスコープ組立品において、前記回転可能なアクチュエータノブの回転は、前記外部噛合機構を、前記第１のオトスコープチップの取付構造から開放する。
【請求項７０】
請求項５３記載の器具において、少なくとも１つの前記固定スロットは、前記器具ヘッドについて軸方向に傾斜する噛合表面を含み、前記各スロットは、チップ要素の対応する外部噛合機構を受けるよう構成される。
【請求項７１】
請求項７０記載の器具において、前記少なくとも１つの回転可能に作動する手段は、あらかじめ決められた方向に回転し、前記固定スロットからチップ要素が移動する少なくとも１つの機構を含むアクチュエータノブを含む。
【請求項７２】
請求項７１記載の器具において、前記アクチュエータノブの少なくとも１つの機構は、傾斜した噛合表面を含まない対応する固定スロットに与えられる。
【請求項７３】
請求項１記載のチップは、前記少なくとも１つの外部噛合機構の噛合表面は、１セットの歯を含む。